(57)【要約】【課題】板状パネルを備えた被梱包部品が梱包された梱包体が転倒又は落下した際に板状パネルが変形することを防止でき、且つ、梱包作業が簡易に行える梱包包装体を提供する。【解決手段】板状パネル２を備えた被梱包部品４を梱包するための梱包包装体１であって、被梱包部品４を支持する梱包部材１０に板状パネル２の少なくとも前面２ａに沿って配置可能な緩衝材１６を備えた補強部材１８が設けられている。梱包部材１０と補強部材１８とは分割可能とされていることが好ましい。【選択図】図１
2014193731.tif 000002
【特許請求の範囲】
【請求項１】
板状パネルを有する被梱包部品を梱包するための梱包包装体であって、
前記被梱包部品を支持する梱包部材に前記板状パネルの少なくとも一方の面に沿って配置可能な緩衝材を備えた補強部材が設けられていることを特徴とする梱包包装体。
【請求項２】
前記梱包部材と前記補強部材とは分割可能とされていることを特徴とする請求項１に記載の梱包包装体。
【請求項３】
前記補強部材には折り込み片が設けられており、
前記被梱包部品の上部を支持する前記梱包部材の上面側に、折り込まれた状態の前記補強部材の前記折り込み片が載置されていることを特徴とする請求項２に記載の梱包包装体。
【発明の詳細な説明】
【技術分野】
【０００１】
本発明は、梱包包装体に関する。
【背景技術】
【０００２】
液晶ディスプレイ等の板状パネルを備えた部品は、輸送される際に、梱包部材により少なくとも四隅を支持され、段ボール等に収容される。このように板状パネルを備えた部品が梱包された梱包体には、この梱包体の転倒による板状パネルの変形を防止すると共に、板状パネルが輸送中の梱包体への振動及び衝撃に耐えられるようにするために、板状パネルに沿って配置可能な緩衝材を備えた補強部材が用いられている。
【０００３】
上記補強部材の例として、特許文献１には、一端部が板状パネルを備えた被梱包部品の板状パネル側に位置すると共に、他端部が前記被梱包部品の板状パネルとは反対側に位置し、中間部が被梱包部品の天側に位置するように被梱包部品に掛け置かれた補強板と、当該補強板の一端部側に固定された緩衝材と、を備えた補強部材が開示されている。また、特許文献２には、被梱包部品の本体に巻回して固定された補強板と、当該補強板に板状パネルの表面に当接可能に配置された緩衝材と、を備えた補強部材が開示されている。
【先行技術文献】
【特許文献】
【０００４】
【特許文献１】特開２０１１−４６４２６号公報
【特許文献２】特開２００６−２３２３６０号公報
【発明の概要】
【発明が解決しようとする課題】
【０００５】
しかしながら、従来の補強部材及び当該補強部材を含む梱包包装体を用いると、先ず被梱包部品に補強部材を設置し、その後、被梱包部品を梱包部材により支持して、これら被梱包部品、梱包部材及び補強部材を段ボールに収容するという複数の工程を実施するため、梱包作業が煩雑になり、時間がかかるという問題があった。
【０００６】
本発明は、上記問題を解決するために、板状パネルを備えた被梱包部品が梱包された梱包体が転倒又は落下した際に板状パネルが変形することを防止でき、且つ、梱包作業が簡易に行える梱包包装体の提供を課題とする。
【課題を解決するための手段】
【０００７】
請求項１に記載の発明は、板状パネルを有する被梱包部品を梱包するための梱包包装体であって、前記被梱包部品を支持する梱包部材に前記板状パネルの少なくとも一方の面に沿って配置可能な緩衝材を備えた補強部材が設けられていることを特徴とする。
本発明では、緩衝材を備えた補強部材が梱包部材に設けられているため、被梱包部品を梱包部材により支持すると同時に、板状パネルの少なくとも一方の面に沿って緩衝材が配置される。そのため、本発明の梱包包装体を用いて梱包された梱包体を輸送する際に、振動や衝撃が加えられても板状パネルの面外方向へのたわみが緩衝材によって抑えられ、板状パネルの変形が防止される。また、補強部材を梱包部材に設けるので、板状パネルの梱包と同時に補強部材を設ければよく、従来のように、板状パネルに補強部材を取り付ける作業が不要となり、作業効率が向上する。
【０００８】
請求項２に記載の発明は、前記梱包部材と前記補強部材とは分割可能とされていることを特徴とする。
本発明では、梱包部材と補強部材とが一体的に設けられる場合に比べて、梱包部材と補強部材をそれぞれ製造し易くなる。また、梱包時に梱包部材とは別で補強部材が梱包部材に取り付けられる。
【０００９】
請求項３に記載の発明は、前記補強部材には折り込み片が設けられており、前記被梱包部品の上部を支持する前記梱包部材の上面側に、折り込まれた状態の前記補強部材の前記折り込み片が載置されていることを特徴とする。
本発明では、折り込まれた状態の補強部材の折り込み片が被梱包部品の上部を支持する梱包部材の上面側で適度なあそびをもって支持される。
【発明の効果】
【００１０】
本発明によれば、板状パネルを備えた被梱包部品が梱包された梱包体が転倒又は落下した際に板状パネルが変形することを防止でき、且つ、梱包作業が簡易に行える梱包包装体が提供される。
【図面の簡単な説明】
【００１１】
【図１】本発明の第一実施形態である梱包包装体を示す斜視図である。
【図２】本発明の第二実施形態である梱包包装体を示す斜視図である。
【図３】本発明の第二実施形態である梱包包装体を示す別の斜視図である。
【発明を実施するための形態】
【００１２】
以下、本発明の実施形態である梱包包装体について、図面を参照して説明する。
【００１３】
（第一実施形態）
図１は、本発明の第一実施形態である梱包包装体１を示す斜視図である。図１に示すように、梱包包装体１は、板状パネル２を有する被梱包部品４を梱包するためのものであって、梱包部材１０，１２を備えている。
【００１４】
被梱包部品４は、液晶ディスプレイ等が設置されている板状パネル２と、支持部６と、底板８と、を備えている。ここで、図１に示す紙面手前側を向く板状パネル２の板面を前面２ａ（一方の面）とし、紙面奥側を向く板状パネル２の板面を後面２ｂとする。前記液晶ディスプレイは、板状パネル２の前面２ａ、後面２ｂの一方又は両方に設けられている。板状パネル２は、支持部６及び底板８により下方から支持されている。
【００１５】
梱包部材１０は、被梱包部品４の上部を支持するための梱包材１４と、被梱包部品４の板状パネル２の前面２ａに沿って緩衝材１６を配置するための補強部材１８と、を備えている。梱包材１４には、被梱包部品４の板状パネル２の上部が嵌合可能に設けられた凹部１５が形成されている。梱包材１４の材質としては、例えば、熱可塑性樹脂の発泡成形体が挙げられる。前記熱可塑性樹脂には、ポリスチレン系樹脂、ポリオレフィン系樹脂（例えばポリプロピレン系樹脂、ポリエチレン系樹脂）、ポリエステル系樹脂（例えば、ポリエチレンテレフタレート、ポリブチレンテレフタレート、ポリエチレンナフタレート）、ポリカーボネート系樹脂、ポリ乳酸系樹脂等がある。なかでも、ポリスチレンとポリエチレンとを含む複合樹脂を用いることが好ましい。発泡体の倍率は、梱包しようとする被梱包部品４の重量や形状等を勘案して適宜設定すればよいが、緩衝性がよく、軽量であって経済的である点から、好ましくは２０倍〜６０倍程度である。
【００１６】
補強部材１８は、補強板２０と緩衝材１６とによって構成されている。補強板２０は、梱包材１４の上面端部を基端として被梱包部品４に向かって延び、被梱包部品４の板状パネル２の上部が凹部１５に嵌合した際に、先端が板状パネル２の前面２ａと平面視で重なって配置されるように設けられている。緩衝材１６は、補強板２０の先端の被梱包部品４側に貼付されている。即ち、緩衝材１６は被梱包部品４の板状パネル２の前面２ａに沿って配置可能に設けられており、緩衝材１６の被梱包部品４を向く面が板状パネル２の前面２ａに当接してもよく、板状パネル２の前面２ａと間隔をあけて配置されてもよい。このように緩衝材１６が板状パネル２の前面２ａに沿って配置可能とされていることにより、被梱包部品４が梱包包装体１を用いて梱包された梱包体が転倒又は落下した際に板状パネル２のたわみが適度に抑えられ、板状パネル２の変形が防止される。
【００１７】
補強板２０は、適度な硬さを有し、折り込み線等の形成により折り込み可能な材質から構成され、このような材質としては、例えば段ボールが挙げられる。また、緩衝材１６は、板状パネル２の前面２ａに対する均一な緩衝性を発揮する材質から構成され、このような材質としては、例えば前記熱可塑性樹脂の発泡成形体が挙げられる。
【００１８】
梱包部材１２は、被梱包部品４の下部を支持するための梱包材２２により構成されている。梱包材２２には、被梱包部品４の底板８が嵌合可能に設けられた凹部２４が形成されている。梱包材２２の材質としては、例えば梱包部材１０と同様に、前記熱可塑性樹脂の発泡成形体が挙げられる。
【００１９】
梱包包装体１を用いて被梱包部品４を梱包する際には、図１に示すように、梱包部材１０，１２を用意し、梱包部材１２の梱包材２２の凹部２４に被梱包部品４の底板８を嵌める。その後、被梱包部品４の板状パネル２の上部に梱包部材１０の梱包材１４の凹部１５を嵌める。この作業により、梱包部材１０の補強部材１８の緩衝材１６が被梱包部品４の板状パネル２の前面２ａに沿って配置される。続いて、一体化した梱包部材１０，１２及び被梱包部品４を段ボール等からなる箱（図示略）に収納する。以上の作業により、梱包包装体１を用いた被梱包部品４の梱包が完了する。
【００２０】
上記説明した本実施形態の梱包包装体１によれば、板状パネル２の前面２ａに沿って配置可能な緩衝材１６を備えた補強部材１８が被梱包部品４を支持する梱包部材１０に設けられているため、被梱包部品４を梱包部材１０により支持すると同時に、板状パネル２の前面２ａに沿って緩衝材１６が配置される。従って、被梱包部品４を梱包部材１０により支持する作業とは別に被梱包部品４に補強部材１８を設置する作業を行う必要がなく、梱包作業を簡易にして短時間で効率よく被梱包部品４を梱包することができる。
【００２１】
（第二実施形態）
図２は、本発明の第二実施形態である梱包包装体３０を示す斜視図である。なお、図２に示す本実施形態の梱包包装体３０の構成要素において、図１に示す本発明の第一実施形態の梱包包装体１の構成要素と同一の構成要素については、同一の符号を付し、その説明を省略する。
【００２２】
本実施形態の梱包包装体３０は、図１に示す第一実施形態の梱包包装体１の梱包部材１０と補強部材１８とが分割可能とされたものであって、具体的には梱包部材１０において梱包材１４と補強部材１８の補強板２０とが切り離されたものであり、図２に示すように、梱包部材１０と、補強部材１９と、梱包部材１２と、を備えている。補強板２０は、プラスチック段ボール、発泡シートボード等の緩衝性を有するものであればよい。
【００２３】
補強部材１９は、梱包部材１０側の折り込み線３４を境として折り込み可能とされ、折り込み片３２を備えている。また、梱包部材１０を構成する梱包材１４の上面１４ａ側には、折り込まれた状態の補強部材１９の折り込み片３２が載置可能な凹部３６が形成されている。なお、凹部３６に折り込み片３２が嵌められることにより折り込み片３２の安定性が高まるが、凹部３６が省略された状態で折り込み片３２が梱包材１４の上面１４ａに載置可能とされていてもよい。また、折り込み片３２と凹部３６の底面又は梱包材１４の上面１４ａとの間に別の梱包材（図示略）等が介在していてもよい。
【００２４】
梱包包装体３０を用いて被梱包部品４を梱包する際には、図２に示すように、梱包部材１０，１２及び補強部材１９を用意し、梱包部材１２の梱包材２２の凹部２４に被梱包部品４の底板８を嵌める。その後、図３に示すように、補強部材１９の折り込み線３４を境として補強板２０を折り込み、折り込み片３２を凹部３６に載置する。同時に、被梱包部品４の板状パネル２の上部に梱包部材１０の梱包材１４の凹部１５を嵌める。この作業により、梱包部材１０の補強部材１９の緩衝材１６が被梱包部品４の板状パネル２の前面２ａに沿って配置される。続いて、一体化した梱包部材１０，１２と、補強部材１９と、被梱包部品４とを段ボール等からなる箱（図示略）に収納する。または、段ボール等からなる箱に梱包材２２を挿入して、梱包部材１２を収容し、補強部材１９の緩衝材１６を板状パネル２に当てながら、梱包部材１０の凹部１５を嵌めた後、折り込み片３２を凹部３６に載置する。以上の作業により、梱包包装体３０を用いた被梱包部品４の梱包が完了する。
【００２５】
上記説明した本実施形態の梱包包装体３０によれば、板状パネル２の前面２ａに沿って配置可能な緩衝材１６を備えた補強部材１８が被梱包部品４を支持する梱包部材１０に載置可能とされているため、被梱包部品４が梱包部材１０により支持されると共に、板状パネル２の前面２ａに沿って緩衝材１６が配置される。従って、被梱包部品４を梱包部材１０により梱包した梱包体を輸送する際に、振動や衝撃が加えられても板状パネル２の面外方向へのたわみを緩衝材１６によって抑え、板状パネル２の変形を防止することができる。また、補強部材１８を梱包部材１０に設けるので、板状パネル２の梱包と同時に補強部材１８を設けられ、従来のように板状パネル２に補強部材１８を取り付ける作業を行わなくてよい。これにより、被梱包部品４の梱包時の作業効率を向上させることができる。
【００２６】
また、本実施形態の梱包包装体３０によれば、梱包部材１０と補強部材１９とは分割可能とされているため、梱包部材１０と補強部材１９とが一体的に設けられる場合に比べて、梱包部材１０と補強部材１９とをそれぞれ製造し易くすることができる。また、梱包包装体３０を用いた梱包時に、梱包部材１０とは別で補強部材１９に取り付けることができる。
【００２７】
更に、本実施形態の梱包包装体３０によれば、補強部材１９に折り込み片３２が設けられ、被梱包部品４の上部を支持する梱包部材１０の梱包材１４の上面１４ａ側に、折り込まれた状態の折り込み片３２が載置されているため、折り込み片３２が被梱包部品４の上部を支持する梱包部材１０の上面側で適度なあそびをもって支持される。従って、梱包包装体３０及び被梱包部品４の梱包・運搬時における板状パネル２の前面２ａのたわみに対する緩衝材１６の緩衝性を高めることができる。
【００２８】
以上、本発明の好ましい実施形態について説明したが、本発明の趣旨を逸脱しない範囲で上記の実施形態における構成要素を変更する、又は、周知の構成要素に置き換えることは適宜可能である。例えば、補強部材１８の基端は梱包部材１２に設けられていてもよい。また、補強部材１９の折り込み片３２が載置可能な凹部３６は、梱包部材１２の底面に形成されていてもよい。
【００２９】
なお、本実施形態では、板状パネル２の一方の面（前面２ａ）のみに沿って緩衝材１６を配置しているが、板状パネル２の前面２ａ及び後面２ｂの両方に緩衝材１６を配置するようにしてもよく、後面２ｂのみに沿って配置してもよい。また、本実施形態では、被梱包部品４として板状パネル２と支持部６及び底板８を備えたものを対象として説明したが、本発明の被梱包部品４は板状パネル２のみであってもよい。
【符号の説明】
【００３０】
１，３０  梱包包装体
２  板状パネル
２ａ  前面（一方の面）
４  被梱包部品
１０  梱包部材
１４ａ  上面
１６  緩衝材
１８，１９  補強部材
３２  折り込み片
【図１】
2014193731.tif 000003
【図２】
2014193731.tif 000004
【図３】
2014193731.tif 000005